(57)【要約】【課題】ユーザ毎に扉を開閉することができる時間帯を設定することにより、セキュリティ性を向上させた個人識別機能付き収納庫を提供する。【解決手段】解錠および施錠をすることができる扉３と、扉３の解錠を制御する制御部４と、ユーザを識別するユーザ識別手段５と、扉３の開閉を許可する日付あるいは時間の少なくとも何れか一方がユーザ毎に登録されたユーザデータベース６と、日時情報を生成する計時部１５とを備え、制御部４は、ユーザ識別手段５の識別結果とユーザデータベース６と日時情報とに基づいて扉３の解錠および施錠を行うものである。【選択図】図１
2006207139.tif 000002
【特許請求の範囲】
【請求項１】
解錠および施錠をすることができる扉と、
前記扉の解錠を制御する制御手段と、
ユーザを識別するユーザ識別手段と、
前記扉の開閉を許可する時間情報が前記ユーザ毎に登録されたユーザデータベースと、
日時情報を生成する計時手段と
を備え、
前記制御手段は、前記ユーザ識別手段の識別結果と前記ユーザデータベースと前記日時情報とに基づいて前記扉の解錠を行うこと
を特徴とする個人識別機能付き収納庫。
【請求項２】
前記ユーザデータベースを設定するユーザデータベース設定手段をさらに備えたことを特徴とする請求項１に記載の個人識別機能付き収納庫。
【請求項３】
前記ユーザ識別手段は、指紋により前記ユーザを識別する指紋識別手段であることを特徴とする請求項１または請求項２に記載の個人識別機能付き収納庫。
【請求項４】
前記扉は複数個設けられており、前記ユーザデータベースは、前記ユーザ毎に開閉を許可する１つ以上の扉を登録可能に構成されていることを特徴とする請求項１から請求項３までの何れか１項に記載の個人識別機能付き収納庫。
【請求項５】
前記扉で区切られた個室に収納された収納物全体の重量を測定する重量測定手段と、
前記収納物毎の重量および単価が登録された収納物データベースと、
前記ユーザ毎の利用履歴が登録される履歴データベースと、
前記ユーザに対する課金処理を行う課金処理手段と
をさらに備え、
前記課金処理手段は、前記ユーザが前記扉を開いたときの前記収納物全体の重量と前記ユーザが前記扉を閉じたときの前記収納物全体の重量との重量差を算出し、前記重量差に基づいて前記収納物データベースから前記ユーザの取り出した収納物を特定するとともに、前記識別結果と前記ユーザデータベースとに基づいて前記ユーザを特定し、前記ユーザ、前記日時情報、前記ユーザの取り出した収納物、および前記ユーザの取り出した収納物の単価を前記履歴データベースに登録すること
を特徴とする請求項１から請求項４までの何れか１項に記載の個人識別機能付き収納庫。
【請求項６】
解錠および施錠をすることができる扉と、
前記扉の解錠を制御する制御手段と、
ユーザを識別するユーザ識別手段と、
前記扉で区切られた個室に収納された収納物全体の重量を測定する重量測定手段と、
前記収納物毎の重量および単価が登録された収納物データベースと、
前記ユーザ毎の利用履歴が登録される履歴データベースと、
前記ユーザに対する課金処理を行う課金処理手段と
を備え、
前記制御手段は、前記ユーザ識別手段の識別結果に基づいて前記扉の解錠を行い、
前記課金処理手段は、前記ユーザが前記扉を開いたときの前記収納物全体の重量と前記ユーザが前記扉を閉じたときの前記収納物全体の重量との重量差を算出し、前記重量差に基づいて前記収納物データベースから前記ユーザの取り出した収納物を特定するとともに、前記識別結果と前記ユーザデータベースとに基づいて前記ユーザを特定し、前記ユーザ、前記日時情報、前記ユーザの取り出した収納物、および前記ユーザの取り出した収納物の単価を前記履歴データベースに登録すること
を特徴とする個人識別機能付き収納庫。
【請求項７】
前記収納物データベースを登録する収納物データベース登録手段をさらに備えたことを特徴とする請求項５または請求項６に記載の個人識別機能付き収納庫。
【発明の詳細な説明】
【技術分野】
【０００１】
この発明は、ユーザ識別手段によってユーザを識別して扉を解錠する個人識別機能付き収納庫に関する。
【背景技術】
【０００２】
従来の個室付き収納庫は、複数の収納箱と、収納箱に対応した扉と、扉を施錠するロックと、収納箱選択手段と、ユーザ認証手段と、占有情報保存手段と、ロック制御手段とを備えている。収納箱選択手段は、ユーザからの入力よって、１つまたは複数の収納箱を選択する。ユーザ認証手段は、顔画像による認証あるいは音声による認証によってユーザを特定する。占有情報保存手段は、収納箱選択手段とユーザ認証手段とから得られる情報とを対応させて保存する。ロック制御手段は、ユーザ認証手段によって特定されたユーザに対応する収納箱の情報を占有情報保存手段から取得して、ロックの開閉を行っている（例えば、特許文献１参照）。
【０００３】
【特許文献１】特開２００３−９０６６１号公報
【発明の開示】
【発明が解決しようとする課題】
【０００４】
従来の個室付き収納庫では、開閉を許可する扉をユーザ毎に設定しているが、開閉を許可する時間帯を設定していないので、いつでも収納物を取り出し可能な状態にあり、アルコール飲料等が収納庫に入っている場合に、例えば未成年のユーザがいつでも収納物を取り出すことができてしまい、セキュリティ性が低いという問題点があった。
【０００５】
この発明は、上記のような問題点を解決することを課題とするものであって、その目的は、ユーザ毎に扉を開閉することができる時間帯を設定することにより、セキュリティ性を向上させた個人識別機能付き収納庫を提供することにある。
【課題を解決するための手段】
【０００６】
この発明に係る個人識別機能付き収納庫は、解錠および施錠をすることができる扉と、扉の解錠を制御する制御手段と、ユーザを識別するユーザ識別手段と、扉の開閉を許可する日付あるいは時間の少なくとも何れか一方がユーザ毎に登録されたユーザデータベースと、日時情報を生成する計時手段とを備え、制御手段は、ユーザ識別手段の識別結果とユーザデータベースと日時情報とに基づいて扉の解錠を行うものである。
【発明の効果】
【０００７】
この発明の個人識別機能付き収納庫によれば、ユーザが扉を開閉することができる時間帯を設定することができるので、セキュリティ性を向上させることができる。また、セキュリティ性を向上させることができるので、ユーザに対して利便性が良くなり、サービス性を向上させることができる。
【発明を実施するための最良の形態】
【０００８】
以下、この発明の各実施の形態について図に基づいて説明するが、各図において同一、または相当する部材、部位については、同一符号を付して説明する。
【０００９】
実施の形態１．
図１は、この発明の実施の形態１に係る個人識別機能付き収納庫１を示す機能構成図である。本実施の形態では、この個人識別機能付き収納庫１は冷蔵庫であり、個人識別機能は、指紋によりユーザを識別する指紋識別手段である場合を例として説明する。
【００１０】
図１において、この個人識別機能付き収納庫１は、パーソナルコンピュータ２（以下、「ＰＣ２」と略称する）に接続されている。個人識別機能付き収納庫１は、扉３と、制御部４と、ユーザ識別手段５と、ユーザデータベース６と、入力部（ユーザデータベース設定手段、収納物データベース登録手段）７と、重量測定部８と、収納物データベース９と、履歴データベース１０と、出力部（履歴データベース表示手段）１１と、課金処理部１２と、計時部１５とを有している。
ここで、制御部４と、入力部７と、重量測定部８と、出力部１１と、課金処理部１２とは、プログラムを格納した記憶部とＣＰＵとを有するマイクロコンピュータ（図示せず）で構成されている。
また、ユーザデータベース６と、収納物データベース９と、履歴データベース１０とは、個人識別機能付き収納庫１の内部に設けられた記憶部（図示せず）に格納されている。
【００１１】
扉３は、複数設けられ、それぞれに扉番号が付けられており、解錠および施錠される。ここで、収納物は、扉３で区切られた個室（図示せず）に収納されている。また、各個室には、個室内の収納物の重量を測定する重量センサ（図示せず）が取り付けられている。
ユーザ識別手段５は、制御部４に接続されている。ユーザ識別手段５は、ユーザ毎の指紋データの登録および認証を行う指紋登録認証部１３と、登録された指紋データを蓄積した指紋データベース１４とを有している。指紋登録認証部１３は、プログラムを格納した記憶部とＣＰＵとを有するマイクロコンピュータで構成されている。また、指紋データベース１４は、個人識別機能付き収納庫１の内部に設けられた記憶部（図示せず）に格納されている。
指紋データベース１４には、図２にデータ設定例を示すように、ユーザ番号「００００００１〜００００００３」に対応した指紋データ「Ａ〜Ｃ」が登録されている。
【００１２】
指紋登録認証部１３に置かれた指の指紋データは、指紋データベース１４に登録された指紋データに一致するか否かを判定され、置かれた指の指紋データが登録された指紋データと一致した場合に、ユーザ番号が制御部４に出力される。置かれた指の指紋データが登録された指紋データと一致しない場合には、エラー通知が制御部４に出力される。
【００１３】
ユーザデータベース６は、制御部４に接続されている。ユーザデータベース６には、図３にデータ設定例を示すように、扉開閉条件である曜日「日〜土」および時間「００：００〜２４：００」からなる時間情報および扉番号「０１〜０３」がユーザ毎に登録されている。なお、これらのデータは、ＰＣ２のキーボード（図示せず）から入力部７を介して設定される。
制御部４は、扉３と、ユーザ識別手段５と、ユーザデータベース６と、計時部１５とに接続されている。制御部４は、ユーザ識別手段５の識別結果とユーザデータベース６と日時情報を生成する計時部１５から取り出した日時情報（月、日、時、分および曜日）とに基づいて、扉３の開閉が許可された時刻であるか否かを判定し、扉３の解錠および施錠を制御する。
【００１４】
重量測定部８は、課金処理部１２と、重量センサとに接続されている。重量センサの値は、課金処理部１２からの命令によって重量測定部８で読み取られ、課金処理部１２に出力される。
収納物データベース９は、課金処理部１２に接続されている。収納物データベース９には、図４にデータ設定例を示すように、収納物番号「１０００００１〜２０００００１」、各収納物が収納されている扉３の扉番号「０１、０２」、重量および単価が登録されている。なお、これらのデータは、ＰＣ２のキーボードから入力部７を介して登録される。
ここで、入力部７は、各収納物を自動的に組み合わせて、各収納物を組み合わせた場合の重量および単価を計算して収納物データベース９に登録する。
【００１５】
履歴データベース１０は、課金処理部１２に接続されている。履歴データベース１０には、図５にデータ設定例を示すように、ユーザ「００００００１〜００００００１」毎の利用日「１２／３１」、利用時間「０８：００〜１０：００」、扉番号「０１、０２」、収納物番号「１０００００１〜２０００００１」および単価が登録されている。なお、これらのデータは、出力部１１を介して、ＰＣ２のディスプレイ（図示せず）に表示される。
【００１６】
課金処理部１２は、扉３と、ユーザデータベース６と、重量測定部８と、収納物データベース９と、履歴データベース１０と、指紋登録認証部１３と、計時部１５とに接続されている。課金処理部１２は、扉３の開閉に応じて重量測定部８に重量測定の命令を出力する。また、課金処理部１２は、ユーザが扉３を開いたときの個室内の収納物全体の重量とユーザが扉３を閉じたときの個室内の収納物全体の重量との重量差を算出し、重量差に基づいて収納物データベース９からユーザの取り出した収納物を特定するとともに、識別結果とユーザデータベース６とに基づいてユーザを特定し、ユーザ、日時情報、ユーザの取り出した収納物、およびユーザの取り出した収納物の単価を履歴データベース１０に登録する。
【００１７】
以下、図６のフローチャートを参照しながら、この発明の実施の形態１に係る個人識別機能付き収納庫１の動作について説明する。
まず、指紋登録認証部１３にユーザの指が置かれているか否かを判定する（ステップＳ２１）。ステップＳ２１において、指が置かれていない（すなわち、Ｎｏ）と判定された場合は、ステップＳ２１に戻り、指が置かれるのを待つ。
一方、ステップＳ２１において、指が置かれた（すなわち、Ｙｅｓ）と判定された場合、指紋登録認証部１３は、置かれた指の指紋データが登録された指紋データであるか否かの判定を行う（ステップＳ２２）。
【００１８】
ステップＳ２２において、置かれた指の指紋データが登録された指紋データでない（すなわち、Ｎｏ）と判定された場合、指紋登録認証部１３は、制御部４にエラーを通知して（ステップＳ２３）、ステップＳ２１に戻る。
一方、ステップＳ２２において、置かれた指の指紋データが登録された指紋データである（すなわち、Ｙｅｓ）と判定された場合、指紋登録認証部１３は、ユーザ番号を制御部に出力し、制御部４は、ユーザデータベース６からユーザ番号に対応する扉開閉条件を読み出して（ステップＳ２４）、日時情報がユーザの扉開閉条件を満たしているか否かを判定する（ステップＳ２５）。
【００１９】
ステップＳ２５において、日時情報がユーザの扉開閉条件を満たしていない（すなわち、Ｎｏ）と判定された場合、制御部４は、エラーを通知して（ステップＳ２６）、ステップＳ２１に戻る。
一方、ステップＳ２５において日時情報がユーザの扉開閉条件を満たしている（すなわち、Ｙｅｓ）と判定された場合、制御部４は、開閉対象の扉３を解錠する（ステップＳ２７）。
続いて、課金処理部１２は、扉３が開かれたか否かを判定する（ステップＳ２８）。
【００２０】
ステップＳ２８において、扉３が開かれていない（すなわち、Ｎｏ）と判定された場合は、ステップＳ２８に戻り、扉３が開かれるのを待つ。
一方、ステップＳ２８において、扉３が開かれた（すなわち、Ｙｅｓ）と判定された場合、課金処理部１２は、重量測定部８に重量測定の命令を出力して各個室の重量を測定し（ステップＳ２９）、扉３が閉められたか否かを判定する（ステップＳ３０）。
【００２１】
ステップＳ３０において、扉３が閉められていない（すなわち、Ｎｏ）と判定された場合は、ステップＳ３０に戻り、扉３が閉められるのを待つ。
一方、ステップＳ３０において、扉３が閉められた（すなわち、Ｙｅｓ）と判定された場合、制御部４は、開閉対象の扉３を施錠する（ステップＳ３１）。
続いて、課金処理部１２は、重量測定部８に重量測定の命令を出力して各個室の重量を測定する（ステップＳ３２）。
【００２２】
次に、課金処理部１２は、扉３が開かれたときの重量と扉３が閉められたときの重量との重量差から、取り出したものの特定および料金を算出し（ステップＳ３３）、履歴データベース１０に書き込みをして（ステップＳ３４）、図６の処理を終了する。
【００２３】
この発明の実施の形態１に係る個人識別機能付き収納庫１によれば、ユーザ毎に扉３を開閉することができる曜日、時間および扉番号を設定し、ステップＳ２５において扉３の開閉条件を満たした場合のみ扉３を開閉することができるので、セキュリティ性を向上させることができる。
また、セキュリティ性を向上させることができるので、ユーザに対して利便性が良くなり、サービス性を向上させることができる。
また、ユーザ、日時情報、ユーザの取り出した収納物、およびユーザの取り出した収納物の単価をステップＳ３４で履歴データベース１０に記録し、履歴データベース１０をＰＣ２のディスプレイに表示することができるので、この個人識別機能付き収納庫１を販売機として利用することもできる。
【００２４】
なお、上記実施の形態１では、ユーザ識別手段を指紋登録認証手段であるとしたが、勿論このものに限定されるものではなく、カードリーダ、携帯電話、静脈を用いて識別を行う識別装置および虹彩を用いて識別を行う識別装置等であっても同様の効果を奏することができる。
また、上記のユーザ識別手段を組み合わせることにより、識別精度を向上させることができる。
【００２５】
また、上記実施の形態１では、各個室の重量を測定するタイミングを、扉３の開閉時としたが、勿論このものに限定されるものではなく、置かれた指の指紋データが登録された指紋データと一致した際に開扉時の各個室の重量を測定し、人感センサ等を用いて、ユーザが収納庫から離れたことを検知した際に閉扉時の各個室の重量を測定しても同様の効果を奏することができる。
また、上記実施の形態１では、ユーザデータベース６と、収納物データベース９と、履歴データベース１０と、指紋データベース１４とは、個人識別機能付き収納庫１の内部に設けられた記憶部に格納されているとしたが、勿論このものに限定されるものではなく、ＰＣ２に格納されていてもよい。
また、ユーザは、個人であっても、複数人からなるグループであってもよい。
また、ユーザデータベース６に登録される時間情報として、日付、曜日または時間等の何れかを含んでいればよい。
【図面の簡単な説明】
【００２６】
【図１】この発明の実施の形態１に係る個人識別機能付き収納庫１を示す機能構成図である。
【図２】図１に示した指紋データベースの具体的なデータ設定例を示す説明図である。
【図３】図１に示したユーザデータベースの具体的なデータ設定例を示す説明図である。
【図４】図１に示した収納物データベースの具体的なデータ設定例を示す説明図である。
【図５】図１に示した履歴データベースの具体的なデータ設定例を示す説明図である。
【図６】この発明の実施の形態１に係る個人識別機能付き収納庫の動作を示すフローチャートである。
【符号の説明】
【００２７】
１  個人識別機能付き収納庫、３  扉、４  制御部、５  ユーザ識別手段、６  ユーザデータベース、８  重量測定部、９  収納物データベース、１０  履歴データベース、１２  課金処理部、１５  計時部。
【図１】
2006207139.tif 000003
【図２】
2006207139.tif 000004
【図３】
2006207139.tif 000005
【図４】
2006207139.tif 000006
【図５】
2006207139.tif 000007
【図６】
2006207139.tif 000008